(57)【要約】【目的】  繊維素材からなる巻尺テープは、テープの接触や摺れによってテープが裂けたりテープを形成する繊維素材が毛羽立ったり、また、メモリ等の表示が薄くなってしまうことがあった。さらには、気温が高くなると直立性能が低下することもあり、従って、テープの接触や摺れによるテープの裂けや素材の毛羽立ち、また、メモリ等の表示の薄化を防止することができ、さらには、気温の変化による直立性能が低下することがない繊維素材の巻尺テープを提供することを目的とする。【解決手段】  巻尺テープを、アラミド繊維を用いて形成したテープ部材１にメモリ２および数字２１等を印刷し、且つそのテープ部材１の周囲を透視可能なナイロン樹脂で被覆３する。【選択図】  図１
2005114709.tif 000002
【特許請求の範囲】
【請求項１】
繊維を用いて形成したテープ部材にメモリ等を印刷し、且つそのテープ部材を透視可能な熱可塑性素材で被覆してなることを特徴とする繊維素材の巻尺テープ
【請求項２】
前記繊維がアラミド繊維であることを特徴とする請求項１の繊維素材の巻尺テープ
【請求項３】
前記テープ部材にメモリ等の背景となる適宜の色等が印刷されていることを特徴とする請求項１の繊維素材の巻尺テープ
【請求項４】
前記熱可塑性素材がナイロン樹脂であることを特徴とする請求項１の繊維素材の巻尺テープ
【請求項５】
前記熱可塑性素材の下に位置する印刷表示部の塗料が、少なくとも塗装表面の状態を変えることが可能な改質剤を混入するものであることを特徴とする請求項１の繊維素材の巻尺テープ
【請求項６】
前記改質剤が塗料の粘性を増加させるものであることを特徴とする請求項５の繊維素材の巻尺テープ
【請求項７】
前記テープ部材の部材表面が熱可塑性素材で被覆されていることを特徴とする請求項１の繊維素材の巻尺テープ
【請求項８】
前記熱可塑性素材がナイロン樹脂であることを特徴とする請求項６の繊維素材の巻尺テープ
【請求項９】
アラミド繊維を用いて形成したテープ部材にメモリ等を印刷し、且つそのテープ部材を透視可能なナイロン樹脂で被覆してなることを特徴とする繊維素材の巻尺テープ
【請求項１０】
前記繊維がガラス繊維であることを特徴とする請求項１の繊維素材の巻尺テープ
【請求項１１】
前記テープ部材がアラミド繊維とガラス繊維の混紡であることを特徴とする請求項１の繊維素材の巻尺テープ
【請求項１２】
前記熱可塑性素材がポリエステル樹脂であることを特徴とする請求項１の繊維素材の巻尺テープ
【請求項１３】
前記被覆が複数回重ね塗りされていることを特徴とする請求項１の繊維素材の巻尺テープ
【請求項１４】
前記テープ部材が測定対象に合わせてその全長が任意の長さに調整されていることを特徴とする請求項１の繊維素材の巻尺テープ
【請求項１５】
前記テープ部材の部材表面が熱可塑性素材で被覆されていることを特徴とする請求項１の繊維素材の巻尺テープ
【発明の詳細な説明】
【技術分野】
【０００１】
本発明は、メモリ等が印刷された巻尺テープに関し、特に繊維素材から形成された巻尺テープに関するものである。
【背景技術】
【０００２】
従来、巻尺テープを自動的に巻き取る自動巻取式の巻尺は、胴部に巻尺テープを巻回し且つその巻尺テープを巻取り付勢するためのコイルバネを内装する回転ドラムと、内壁に立設する軸に回転ドラムを軸支して収納するケースとから構成され、そのケースのテープ出入口にテープ先端のフックが位置している。
巻尺テープは、鋼材や繊維等の適宜の素材から形成されており、そのテープ面に測定用のメモリが印刷されている。また、メモリの下には背景となる色等が印刷されることもある。
【０００３】
そして、繊維素材からなるテープは、直立性を持たせるため成型剤等によってテープを幅方向に湾曲させた形状に成型される。
この繊維素材からなるテープは絶縁性を有するので、感電の危険がある電設工事用の巻尺テープとして用いられている。その中でも特にアラミド素材からなる巻尺テープ、すなわち、アラミド繊維をテープ状に織り上げて形成した巻尺テープは、繊維素材で形成されているにも関わらず、延びや切れもないことから電設工事用の巻尺テープとしては特に優れたものである。
【発明の開示】
【発明が解決しようとする課題】
【０００４】
しかし、この繊維をテープ状に織り上げて形成した巻尺テープは、巻尺の使用を重ねるとテープの接触や摺れによってテープが裂けたり、テープを形成する繊維素材が毛羽立つこともあり、また、テープに印刷するメモリ等の表示が薄くなることがあった。勿論、アラミド繊維からなるテープも例外ではなく、テープの延びや切れはないが、他の繊維製のテープと同様に、テープの裂け／繊維の毛羽立ち／メモリ等の表示の薄化があった。
【０００５】
また、テープが繊維素材からなるので、直立性を持たせるには樹脂等の成型剤等を含浸させて湾曲成型することから温度や湿度等の環境の変化に影響されやすく、夏場や気温が高い場所での測定作業の際にテープの直立性能が低下することもあった。
従って、本発明は上述した問題点に鑑みてなされたもので、テープの接触や摺れによるテープの裂けや素材の毛羽立ち、また、メモリ等の表示の薄化を防止することができ、さらには、環境変化による直立性能が低下することがない繊維素材の巻尺テープを提供することを目的とするものである。
【課題を解決するための手段】
【０００６】
本発明の要旨とするところは、繊維を用いて形成したテープ部材にメモリ等を印刷し、且つそのテープ部材を透視可能な熱可塑性素材で被覆してなることを特徴とする繊維素材の巻尺テープである。
【０００７】
本発明の繊維素材の巻尺テープを詳しく説明すると、繊維とは、適宜の素材を糸状に形成したものを指し、素材としては、アラミド／ナイロン／エポキシ／ガラス等がある。勿論、ここに示す以外の繊維から形成してもよい。
そして、その繊維が適宜に織り合わされ、それに所定の処理（直立可能にするための湾曲形成等）が実施されてテープ体（帯体）が形成される。また、用いる繊維は１種類でもよいが、複数の種類を用いて織り合わせてもよい。具体的には、横糸と縦糸に同一種類の繊維を用いたり、横糸と縦糸を別種類の繊維を用いて織り上げてもよい。例えば、アラミド繊維からなる糸とガラス繊維からなる糸を組合せてテープ体を織り上げてもよい。すなわち混紡であり、縦糸にアラミド繊維からなる糸を用い横糸にガラス繊維からなる糸を用いて織るのが特によい。
【０００８】
この織り上げられたテープ部材にメモリ等を印刷（表示）する。すなわち、測定メモリ／数字／文字／記号／イラスト等を適宜に印刷する。また、上述のメモリ等の背景として適宜の色や模様等を印刷してもよい。
それらの印刷用の塗料も適宜のものを用いて行えばよく、塗料の種類も特に限定するものではない。具体的なものとしては、エポキシ系やアクリル系等の樹脂塗料である。
【０００９】
また、使用される塗料の全部または一部に、少なくとも塗装表面の状態を変えることが可能な改質剤が混入された塗料を用いてもよい。改質剤とは一種の添加剤と同様なものであり、その改質剤は、後に行われる熱可塑性素材による被覆が塗装表面から剥離し難くなる効力を有するもが混入されているものを使用するのがよい。また、その種類等も特に限定するものではない。望ましくは、塗装表面の粘性が増加する効力を有するものがよい。
【００１０】
改質剤が混入されていない塗料の場合は、適宜に改質剤を混入して用いてもよい。その混入量は、用いる改質剤や期待する少なくとも塗装表面の状態の変化によって適宜に選定すればよい。そして、改質剤を混入する塗料を用いる場合も、それに改質剤を追加して混入して用いてもよい。
【００１１】
そして、このテープ部材を透視可能な熱可塑性素材で被覆する。透視可能とは、被覆を通してその下のメモリ等の印刷が見えればよいことであって、熱可塑性素材は透明でも、また、素材のくもりや着色等によって適宜な半透明となっていてもよい。その熱可塑性素材も特に限定するものではなく、ナイロン／エポキシ／メラニン／ポリエステル等の樹脂（樹脂塗料）を用いて被覆すればよいが、特にナイロン樹脂やポリエステル樹脂を用いるのがよい。そして、被覆する際のホーミングは、テープの湾曲形状に合ったローラでホーミングするのが望ましい。
【００１２】
その被覆の形態としては、テープ部材の表面または表面および裏面に被覆すればよい。その被覆の方法も特に限定するものではなく、塗装や市販の押出装置／引抜装置等によって行ってもよい。そして、被覆の厚さも適宜に選定すればよく特に限定するものではない。また、被覆は一度塗りであってもよいが、複数回重ね塗りを行ってもよい。
【００１３】
また、被覆は、テープ部材の部材表面に行ってもよい。すなわち、メモリ等を印刷する前のテープ部材の表面を熱可塑性素材で被覆することである。この場合も、塗装や市販の押出装置／引抜装置等によって行ってもよい。
勿論、熱可塑性素材も特に限定するものではなく、ナイロン／エポキシ／メラニン／ポリエステル等の樹脂（樹脂塗料）を用いて被覆すればよい。そして、テープ部材の最外の被覆に適するものとしては特にナイロン樹脂やポリエステル樹脂を用いるのがよい。
【００１４】
そして、テープ部材すなわち測定用のテープの全長は、普通の巻尺に用いられる長さ、例えば、３．５メートルにしてもよいが、本テープの使用用途から測定対象に合わせてその全長を決めてもよい。
具体的には、鉄道現場で用いるものは２メートル以下とし、また、電設現場で用いるものは３メートル以下としてもよい。
【００１５】
従って、本発明の繊維素材の巻尺テープは、テープの最外のナイロン樹脂やポリエステル樹脂の被覆によりメモリ表示やテープ部材の直接接触が阻止され、テープの裂けや素材の毛羽立ちまたメモリの薄化を阻止する。
また、テープ部材の表面にナイロン樹脂やポリエステル樹脂を被覆するものは、テープエッジの補強となる。
さらには、ナイロン樹脂またポリエステル樹脂の被覆によりテープの柔軟性が向上する。
そして、改質剤が混入された塗料を用いるもは、塗装が硬化（乾燥）した後もその塗装面に粘り気が残るので、その粘り気によって上に形成される被覆を強く繋ぎ止める。
【発明の効果】
【００１６】
本発明の繊維素材の巻尺テープは以上のように、テープの最外にナイロン樹脂やポリエステル樹脂の被覆が形成されているので、測定中にテープが他の部材に接触したりまた摺ったりしても、その被覆によってメモリ等の表示面やテープエッジの直接接触が免れ、テープの裂けやテープを形成する繊維素材の毛羽立ちまたメモリ等の表示の薄化を防止することができる。
【００１７】
また、テープ部材の表面にナイロン樹脂やポリエステル樹脂の被覆を有するものは、テープエッジの損傷をより強く阻止することができ、巻尺の耐用期間が飛躍的に延びる。さらに、メモリ等を印刷する前のテープ部材での保管やテープ部材を移送する際も、テープ部材の損傷を防止することができる。
【００１８】
さらには、柔軟なナイロン樹脂やポリエステル樹脂の被覆により、環境変化（気温／湿度）によるテープ直立性能への影響を防ぐことができる。すなわち、夏場や気温が高い場所での測定作業の際に発生するテープの直立性能の低下を防止することができる。
そして、ナイロン樹脂またポリエステル樹脂を被覆することで、テープの裂けや素材の毛羽立ち、メモリ等の表示の薄化、環境変化による直立性能の低下の問題を一度に解決することができる。また、経済的にも安価に且つ容易に対策することができる。
【００１９】
さらには、メモリ等の印刷用塗料に改質剤を混入するものは、その上に形成される被覆を強く繋ぎ止めることができ、被覆の剥離を防止することができる。
【発明を実施するための最良の形態】
【００２０】
本発明の繊維素材の巻尺テープを以下図面に従って説明すると、図１は、本発明に係る繊維素材の巻尺テープを示す断面図であり、１は繊維素材から形成されたテープ部材、２はテープ面に表示された測定用のメモリ、２１は寸法を示す数字、３はメモリ２および数字２１が印刷されたテープ部材１の周囲を取り囲むように形成された被覆である。
【００２１】
図２は、テープ面の表示形態が異なる図１の巻尺テープの断面図であり、メモリ２および数字２１の下に背景４を印刷しているものである。
すなわち、テープ部材１の湾曲凹面に背景４を印刷し、その背景４の上にメモリ２および数字２１を印刷し、その上にテープ部材１の周囲を取り囲むように被覆３を形成するものである。
【００２２】
図３は、他の形態の繊維素材の巻尺テープを示す断面図であり、１は繊維素材から形成されたテープ部材、２はテープ面に表示された測定用のメモリ、２１は寸法を示す数字、３はメモリ２および数字２１が印刷されたテープ部材１を取り囲むように形成された被覆、３１はテープ部材１の表面を取り囲むように形成された被覆である。
被覆３１は、メモリ２および数字２１を印刷する前のテープ部材１に、先ずそのテープ部材１を取り囲むように被覆３１を形成して、損傷に弱い繊維素材のテープの補強としたものである。
【００２３】
図４は、テープ面の表示形態が異なる図３の巻尺テープの断面図であり、メモリ２および数字２１の下に背景４を印刷しているものである。
すなわち、テープ部材１の表面を取り囲むように被覆３１を形成し、その被覆３１の上のテープ部材１の湾曲凹面に背景４を印刷し、その背景４の上にメモリ２および数字２１を印刷し、その上にテープ部材１の周囲を取り囲むように被覆３を形成するものである。
【００２４】
図５は、被覆形成の一例を示す図であり、１はテープ部材で、そのテープ部材１を取り囲むように、被覆３となる透明の樹脂塗料が適宜の押出装置によってリング状に押出されテープ部材１の周囲を覆うように着接する。この後、被覆３はローラ等の定着手段によってテープ部材１の周囲に定着（固着）する。
【００２５】
図６は、巻尺テープの一例を示す図であり、１は繊維素材から形成されたテープ部材、２はテープ面に表示された測定用のメモリ、２１は寸法を示す数字、３はメモリ２および数字２１が印刷されたテープ部材１の周囲を取り囲むように形成された被覆、５は測定の際に被測定物の端部に引掛けるための係止片である。
【００２６】
図７は、他の形態の繊維素材の巻尺テープを示す断面図であり、１は繊維素材から形成されたテープ部材、２はテープ面に表示された測定用のメモリ、２１は寸法を示す数字、３はメモリ２および数字２１が印刷されたテープ部材１を取り囲むように形成された被覆、３１はテープ部材１の表面を取り囲むように形成された被覆である。
本図は、被覆３の外周にさらに被覆３ａを行ったものである。すなわち、被覆を二重にしているものである。この被覆を二重にしたものは、単に被覆を厚くしたものよりテープが変形した際に掛かる被覆の応力が各被覆層毎に分散される。
【図面の簡単な説明】
【００２７】
【図１】本発明に係る繊維素材の巻尺テープを示す断面図
【図２】テープ面の表示形態が異なる図１の巻尺テープの断面図
【図３】他の形態の繊維素材の巻尺テープを示す断面図
【図４】テープ面の表示形態が異なる図３の巻尺テープの断面図
【図５】被覆形成の一例を示す図
【図６】巻尺テープの一例を示す図
【図７】他の形態の繊維素材の巻尺テープを示す断面図
【符号の説明】
【００２８】
１−テープ部材，２−メモリ，２１−数字，３−被覆，３１−被覆，３ａ−被覆，４−背景，５−係止片
【図１】
2005114709.tif 000003
【図２】
2005114709.tif 000004
【図３】
2005114709.tif 000005
【図４】
2005114709.tif 000006
【図５】
2005114709.tif 000007
【図６】
2005114709.tif 000008
【図７】
2005114709.tif 000009